(57)【要約】      （修正有）【課題】温度の異なる飲み物を飲みたいという使用者の多様なニーズに応え、２つの飲み方に対応する蓋構造及びボトルを提供する。【解決手段】蓋構造は、蓋構造本体１を備え、蓋構造本体１には、ストローチューブ飲み口２と、ストローチューブ飲み口２を開閉するための押しボタン操作機構とが設けられ、蓋構造本体１には、直飲み口が設けられ、蓋構造本体１には、直飲み口を開閉するための弾性開閉機構が設けられている。弾性開閉機構は、跳ね上げ部材と、馬蹄形押圧座と、馬蹄形押圧座に設けられ且つ直飲み口に対応するように設けられる出口密閉シリコーン４とを備える。【選択図】図１
0003227889.tif 000002
【実用新案登録請求の範囲】
【請求項１】
２つの飲み方に対応する蓋構造であって、蓋構造本体を備え、前記蓋構造本体には、ストローチューブ飲み口と、前記ストローチューブ飲み口を開閉するための押しボタン操作機構とが設けられ、前記蓋構造本体には直飲み口が設けられ、前記蓋構造本体には、前記直飲み口を開閉するための弾性開閉機構が設けられる、ことを特徴とする２つの飲み方に対応する蓋構造。
【請求項２】
前記弾性開閉機構は、跳ね上げ部材と、馬蹄形押圧座と、前記馬蹄形押圧座に設けられ且つ前記直飲み口に対応するように設けられる出口密閉シリコーンとを備え、前記跳ね上げ部材と前記馬蹄形押圧座とが固定接続され、前記馬蹄形押圧座を押すと、前記跳ね上げ部材は、弾性作用により、前記馬蹄形押圧座を上下に駆動し、前記出口密閉シリコーンが前記直飲み口から離れること、または、前記直飲み口の密閉を制御し、前記直飲み口の開閉を実現する、ことを特徴とする請求項１に記載の２つの飲み方に対応する蓋構造。
【請求項３】
前記跳ね上げ部材は、跳ね上げポストと、スリーブ部材と、係合部材と、スプリングとを備え、前記跳ね上げポストは、前記スリーブ部材内に取り付けられ、前記スプリングは、前記スリーブ部材の底部に取り付けられ、前記跳ね上げポスト内に、スライドスロットが設けられ、前記スライドスロットに、オープン係合部とクローズ係合部とが設けられ、前記係合部材の一端は、前記オープン係合部またはクローズ係合部に設けられ、前記係合部材の他端は前記スプリングに接続され、前記スリーブ部材の上端は前記馬蹄形押圧座と接続される、ことを特徴とする請求項２に記載の２つの飲み方に対応する蓋構造。
【請求項４】
前記馬蹄形押圧座は、馬蹄形押圧座本体と、前記馬蹄形押圧座本体に取り付けられる少なくとも３つのガイドシャフトと、前記ガイドシャフトに取り付けられるばねとを備え、前記ばねの下端と前記蓋構造本体とが当接され、前記出口密閉シリコーンは前記馬蹄形押圧座本体の底面に取り付けられ、前記馬蹄形押圧座本体と前記スリーブ部材とが連結される、ことを特徴とする請求項３に記載の２つの飲み方に対応する蓋構造。
【請求項５】
前記押しボタン操作機構は、ボタンと、押下部材と、ねじりばねと、第１蓋部材と、第２蓋部材とを備え、前記ボタンは、前記蓋構造本体に設けられ、前記ボタンと前記押下部材とが係合するように接続され、前記第１蓋部材と第２蓋部材とは、それぞれ、前記ストローチューブ飲み口の両側に設けられ、前記押下部材は、前記ねじりばねを介して前記第１蓋部材及び第２蓋部材に取り付けられ、前記ボタンが外力で押し下げられると、前記押下部材は、前記ねじりばねの弾性作用により、前記ストローチューブ飲み口の跳ね上げを押し付ける、ことを特徴とする請求項４に記載の２つの飲み方に対応する蓋構造。
【請求項６】
前記ストローチューブ飲み口のストローチューブの中央部よりも上側にパッキング部材が設けられる、ことを特徴とする請求項５に記載の２つの飲み方に対応する蓋構造。
【請求項７】
前記蓋構造本体をボトル本体に装着し、前記蓋構造本体の下端に蓋構造シリコーンが設けられ、前記馬蹄形押圧座本体には、押圧シートと、変色シリコーンと、前記変色シリコーンに接続される金属製熱伝導部材とが設けられ、前記変色シリコーンは、前記押圧シートと前記馬蹄形押圧座本体との間に設置され、前記金属製熱伝導部材は、前記ボトル本体内に延伸して、前記ボトル本体内の温度を前記変色シリコーンに伝導し、前記金属製熱伝導部材に、密封リングと密封栓とが設けられる、ことを特徴とする請求項６に記載の２つの飲み方に対応する蓋構造。
【請求項８】
前記ストローチューブ飲み口の下端部にストローが取り付けられ、前記ストローは、前記ボトル本体の底部まで延在している、ことを特徴とする請求項７に記載の２つの飲み方に対応する蓋構造。
【請求項９】
前記蓋構造本体に、吸飲み空気穴と直飲み空気穴とが設けられ、前記蓋構造本体の底部には、前記吸飲み空気穴協働して封止するための水密封シリコーンが設けられ、前記馬蹄形押圧座には、前記直飲み空気穴に対向する直飲み空気穴シリコーンが設けられる、ことを特徴とする請求項８に記載の２つの飲み方に対応する蓋構造。
【請求項１０】
請求項１〜請求項９のいずれか１つに記載の２つの飲み方に対応する蓋構造を備えるボトル。
【考案の詳細な説明】
【技術分野】
【０００１】
本考案は、生活用品の技術分野に係り、特に、２つの飲み方に対応する蓋構造及びボトルに関する。
【背景技術】
【０００２】
現在、コーヒー、お茶、ミルクティー、コーラ等の飲料を販売する店舗では、販売する飲料を入れた紙製又はプラスチック製のカップを使用し、消費者に販売している。消費者は、カップに入った飲み物を飲んだ後、紙コップやプラスチックコップを捨てることは、環境汚染の原因となるだけでなく、紙コップやプラスチックコップを作るために貴重な地球資源やエネルギーを多く浪費する。地球汚染やＣＯ２の排出量が非常に深刻な現代において、紙コップやプラスチックコップが広く使われ、地球温暖化に大きく影響している。
【０００３】
ある飲料販売の店では、マイカップを持参することを提唱している。しかし、従来の保温ボトルまたは携帯用カップは、熱い飲料を飲むように、ストレートな飲み口が設計されている。しかし、暑い時期には、冷たい飲み物も欠かせないが、ストレートの飲み口で冷たい飲み物、特に冷たいフローズン飲料（例えば、スムージー）を飲む際に、唇や歯がフローズン飲料を接触すると、不快感を与えてしまうので、ストローを使ってフローズン飲料を飲むようにする必要がある。
【０００４】
従来のボトルには、以下の欠点がある。
【０００５】
１．従来の保温ボトルまたは携帯用カップには、熱いまたは温かい飲料を飲用するための直飲み口しか設けられておらず、冷たい飲料には向いていない。
【０００６】
２．既存のフローズン飲料用ボトルは、ストローを追加することによって、冷たい氷が唇や歯に触れて不快感を与えることを防いている。
【０００７】
３．ストローを組み込んだ飲用カップでは、熱い飲み物を入れて蓋閉めた後、再び開けると、温度差または気圧差により、熱い飲み物がストローを介して噴出しやすいので、危険である。
【０００８】
４．ストローでお湯を飲むと熱傷する。
【考案の概要】
【考案が解決しようとする課題】
【０００９】
本考案の主な目的は、２つの飲み方に対応する蓋構造及びボトルを提供することであり、蓋構造の使用方法を多様にし、温度の異なる飲料を飲むという使用者の多様なニーズを応える。
【課題を解決するための手段】
【００１０】
上述した目的を達成するために、本考案は、２つの飲み方に対応する蓋構造を提供する。前記蓋構造は、蓋構造本体を備え、前記蓋構造本体には、ストローチューブ飲み口と、前記ストローチューブ飲み口を開閉するための押しボタン操作機構とが設けられ、前記蓋構造本体には直飲み口が設けられ、前記蓋構造本体には、前記直飲み口を開閉するための弾性開閉機構が設けられる。
【００１１】
本考案のもう一つ実施形態では、前記弾性開閉機構は、跳ね上げ部材と、馬蹄形押圧座と、前記馬蹄形押圧座に設けられ且つ前記直飲み口に対応するように設けられる出口密閉シリコーンとを備え、前記跳ね上げ部材と前記馬蹄形押圧座とが固定接続され、前記馬蹄形押圧座を押すと、前記跳ね上げ部材は、弾性作用により、前記馬蹄形押圧座を上下に駆動し、前記出口密閉シリコーンが前記直飲み口から離れること、または、前記直飲み口の密閉を制御し、前記直飲み口の開閉を実現する。
【００１２】
本考案のもう一つ実施形態では、前記跳ね上げ部材は、跳ね上げポストと、スリーブ部材と、係合部材と、スプリングとを備え、前記跳ね上げポストは、前記スリーブ部材内に取り付けられ、前記スプリングは、前記スリーブ部材の底部に取り付けられ、前記跳ね上げポスト内に、スライドスロットが設けられ、前記スライドスロットに、オープン係合部とクローズ係合部とが設けられ、前記係合部材の一端は、前記オープン係合部またはクローズ係合部に設けられ、前記係合部材の他端は、前記スプリングに接続され、前記スリーブ部材の上端は前記馬蹄形押圧座と接続される。
【００１３】
本考案のもう一つ実施形態では，前記馬蹄形押圧座は、馬蹄形押圧座本体と、前記馬蹄形押圧座本体に取り付けられる少なくとも３つのガイドシャフトと、前記ガイドシャフトに取り付けられるばねとを備え、前記ばねの下端と前記蓋構造本体とが当接され、前記出口密閉シリコーンは前記馬蹄形押圧座本体の底面に取り付けられ、前記馬蹄形押圧座本体と前記スリーブ部材とが連結される。
【００１４】
本考案のもう一つ実施形態では、前記押しボタン操作機構は、ボタンと、押下部材と、ねじりばねと、第１蓋部材と、第２蓋部材とを備え、前記ボタンは、前記蓋構造本体に設けられ、前記ボタンと前記押下部材とが係合するように接続され、前記第１蓋部材と第２蓋部材とは、それぞれ、前記ストローチューブ飲み口の両側に設けられ、前記押下部材は、前記ねじりばねを介して前記第１蓋部材及び第２蓋部材に取り付けられ、前記ボタンが外力で押し下げられると、前記押下部材は、前記ねじりばねの弾性作用により、前記ストローチューブ飲み口の跳ね上げを押し付ける。
【００１５】
本考案のもう一つ実施形態では、前記ストローチューブ飲み口のストローチューブの中央部よりも上側にパッキング部材が設けられる。
【００１６】
本考案のもう一つ実施形態では、前記蓋構造本体をボトル本体に装着し、前記蓋構造本体の下端に蓋構造シリコーンが設けられ、前記馬蹄形押圧座本体には、押圧シートと、変色シリコーンと、前記変色シリコーンに接続される金属製熱伝導部材とが設けられ、前記変色シリコーンは、前記押圧シートと前記馬蹄形押圧座本体との間に設置され、前記金属製熱伝導部材は、前記ボトル本体内に延伸して、前記ボトル本体内の温度を前記変色シリコーンに伝導し、前記金属製熱伝導部材に、密封リングと密封栓とが設けられる。
【００１７】
本考案のもう一つ実施形態では、前記ストローチューブ飲み口の下端部にストローが取り付けられ、前記ストローは、前記ボトル本体の底部まで延在している。
【００１８】
本考案のもう一つ実施形態では、前記蓋構造本体に、吸飲み空気穴と直飲み空気穴とが設けられ、前記蓋構造本体の底部には、前記吸飲み空気穴協働して封止するための水密封シリコーンが設けられ、前記馬蹄形押圧座には、前記直飲み空気穴に対向する直飲み空気穴シリコーンが設けられる。
【００１９】
また、本考案では、ボトルを提供し、前記ボトルは、前記２つの飲み方に対応する蓋構造を備える。
【考案の効果】
【００２０】
本考案の有利な効果は以下の通りである。本考案の２つの飲み方に対応する蓋構造及びボトルは、上述した考案によって、蓋構造本体を備え、前記蓋構造本体には、ストローチューブ飲み口と、前記ストローチューブ飲み口を開閉するための押しボタン操作機構とが設けられ、前記蓋構造本体には、直飲み口が設けられ、前記蓋構造本体には、前記直飲み口を開閉するための弾性開閉機構が設けられる。これによって、多様な使用方法ができ、温度の異なる飲み物を飲みたいという使用者の多様なニーズに応えることができる。
【図面の簡単な説明】
【００２１】
【図１】本考案の好ましい実施形態における２つの飲み方に対応する蓋構造の構造分解図である。
【図２】本考案の好ましい実施形態における２つの飲み方に対応する蓋構造の跳ね上げ部材の構造示す概念図である。
【図３】本考案の好ましい実施形態における２つの飲み方に対応する蓋構造の跳ね上げ部材の構造分解図である。
【図４】本考案の好ましい実施形態における２つの飲み方に対応する蓋構造の押しボタン操作機構の構造を示す概念図である。
【図５】本考案の好ましい実施形態における２つの飲み方に対応する蓋構造の押しボタン操作機構の構造分解図である。
【図６】本考案の好ましい実施形態における２つの飲み方に対応する蓋構造の馬蹄形押圧座の構造を示す概念図である。
【図７】本考案の好ましい実施形態における２つの飲み方に対応する蓋構造の馬蹄形押圧座の構造分解図である。
【図８】本考案の好ましい実施形態における２つの飲み方に対応する蓋構造の蓋構造本体の底面構造を示す概念図である。
【図９】本考案の好ましい実施形態における２つの飲み方に対応する蓋構造の押しボタン操作機構を蓋構造本体に装着することを示す概念図である。
【図１０】本考案の好ましい実施形態における２つの飲み方に対応する蓋構造の跳ね上げ部材を蓋構造本体に装着することを示す概念図である。
【図１１】本考案の好ましい実施形態における２つの飲み方に対応する蓋構造の馬蹄形押圧座を蓋構造本体に装着することを示す概念図である。
【図１２】本考案の好ましい実施形態における２つの飲み方に対応する蓋構造の蓋構造本体の頂面の構造概念図である。
【図１３】本考案の好ましい実施形態における２つの飲み方に対応する蓋構造の変色シリコーン及び押圧シートを蓋構造本体に装着することを示す概念図である。
【図１４】本考案の好ましい実施形態における２つの飲み方に対応する蓋構造のストローを装着することを示す概念図である。
【図１５】本考案の２つの飲み方に対応する蓋構造の好ましい実施形態及びボトル本体に装着された状態を示す概念図である。
【考案を実施するための形態】
【００２２】
以下、図面及び実施形態を参照しながら、本考案によって実現される目的、機能的な特徴及び優れる点を詳しく説明する。
【００２３】
なお、ここに記載される実施形態は、本考案を説明するものであり、限定するものではない。
【００２４】
図１〜図１５に示すように、本考案の好ましい実施形態における２つの飲み方に対応する蓋構造は、蓋構造本体１を備え、前記蓋構造本体１には、ストローチューブ飲み口２と、前記ストローチューブ飲み口２を開閉するための押しボタン操作機構とが設けられ、前記蓋構造本体１には、直飲み口３が設けられ、前記蓋構造本体１には、前記直飲み口３を開閉するための弾性開閉機構が設けられている。
【００２５】
本実施形態では、前記ストローチューブ飲み口２は、前記蓋構造本体１の中央部に取付けられ、前記弾性開閉機構は、前記ストローチューブ飲み口２に隣接して取付けられている。また、ある実施形態では、前記蓋構造本体１の中央部には、前記ストローチューブ飲み口２を収納するための収納位置を設けても良い。
【００２６】
本実施形態では、蓋構造本体１にストローチューブ飲み口２を設け、且つ直飲み口３を設けることによって、使用者が直飲み口３を介して熱い飲み物を飲用し、ストローチューブ飲み口２を介して冷たい飲み物を飲用することができる。これによって、蓋構造の複数の使用方法を実現することができ、温度の異なる飲み物を飲用したいという使用者の多様なニーズに応えることができる。
【００２７】
具体的には、前記弾性開閉機構は、跳ね上げ部材５と、馬蹄形押圧座６と、前記馬蹄形押圧座６に設けられ且つ前記直飲み口３に対応するように設けられる出口密閉シリコーン４とを備える。前記跳ね上げ部材５と前記馬蹄形押圧座６とは固定接続されており、前記馬蹄形押圧座６を押すと、前記跳ね上げ部材５は、弾性作用により前記馬蹄形押圧座６を上下に駆動し、前記出口密閉シリコーン４の前記直飲み口３からの離れまたは前記直飲み口３の密閉を制御し、前記直飲み口３の開閉を実現する。前記跳ね上げ部材５は、熱プレスによって前記蓋構造本体１に取付けられても良い。
【００２８】
より具体的には、前記跳ね上げ部材５は、跳ね上げポスト５０１と、スリーブ部材５０２と、係合部材５０３と、スプリング５０４とを備える。前記跳ね上げポスト５０１は、前記スリーブ部材５０２内に取付けられ、前記スプリング５０４は、前記スリーブ部材５０２の底部に取付けられ、前記跳ね上げポスト５０１内にスライドスロットが設けられ、前記スライドスロットにはオープン（跳ね上げ）係合部とクローズ（落下）係合部が設けられ、前記係合部材５０３の一端は、前記オープン係合部またはクローズ係合部に設けられ、前記係合部材５０３の他端は、前記スプリング５０４に接続され、前記スリーブ部材５０２の上端は前記馬蹄形押圧座６に接続される。
【００２９】
前記直飲み口３を使用する際には、使用者が前記馬蹄形押圧座６の任意の位置を押すだけで、前記跳ね上げ部材５を開くことができる。前記跳ね上げ部材５が開けられると、前記馬蹄形押圧座６が上昇し、前記出口密閉シリコーン４が前記直飲み口３から離れ、前記直飲み口３が開く。
【００３０】
前記直飲み口３を閉じる際には、使用者が前記馬蹄形押圧座６の任意の位置を押すだけで、前記跳ね上げ部材５を閉じることができる。前記跳ね上げ部材５が閉じられると、前記馬蹄形押圧座６が下がり、前記出口密閉シリコーン４によって前記直飲み口３を密閉する。
【００３１】
前記跳ね上げ部材５を取り付けるには、まず、前記跳ね上げポスト５０１を前記スリーブ部材５０２の適当な一に取り付ける。そして、前記係合部材５０３の一端と前記スプリング５０４とを前記スリーブ部材５０２の底部に取り付け、前記係合部材５０３の他端と前記跳ね上げポスト５０１とを接続する。前記跳ね上げ部材５が押し下げられると、前記スプリング５０４の弾性力により、前記係合部材５０３は、前記跳ね上げポスト５０１におけるスライドスロットの移動軌跡に応じて、前記オープン（跳ね上げ）係合部またはクローズ（落下）係合部に係合され、これにより、前記馬蹄形押圧座６が上下に駆動され、前記出口密閉シリコーン４の前記直飲み口３からの離れまたは前記直飲み口３の密閉を制御し、前記直飲み口３の開閉を実現する。
【００３２】
前記馬蹄形押圧座６は、馬蹄形押圧座本体６０１と、前記馬蹄形押圧座本体６０１に取り付けられた少なくとも３つのガイドシャフト６０２と、前記ガイドシャフト６０２に取り付けられたばね６０３とを備える。前記ばね６０３の下端は、前記蓋構造本体１に当接され、前記出口密閉シリコーン４は、前記馬蹄形押圧座本体６０１の底面に取り付けられ、前記馬蹄形押圧座本体６０１と前記スリーブ部材５０２とが接続されている。具体的な実施形態では、ねじを用いて、前記馬蹄形押圧座本体６０１と前記スリーブ部材５０２とを連結しても良い。
【００３３】
好ましい実施形態として、３つのガイドシャフト６０２を採用し、前記３つのガイドシャフト６０２が三角形の位置に配置されている。
【００３４】
なお、本実施形態では、前記ストローチューブ飲み口２を前記蓋構造本体１の中央部に配置する必要があるため、前記跳ね上げ部材５は前記蓋構造本体１の中央部に配置されることができず、代わりに、前記蓋構造本体１の周辺部に配置される。前記馬蹄形押圧座本体６０１を押す時、異なる力で前記跳ね上げ部材５の開閉を切り替える必要がある。また、馬蹄形押圧座本体６０１に不均一な力が加わるため、馬蹄形押圧座本体６０１を円滑に動作させることができない。したがって、本実施形態では、前記３つのガイドシャフト６０２を三角形状に配置し、且つ、前記３つのガイドシャフト６０２にばね６０３を取り付けることで、前記馬蹄形押圧座本体６０１の異なる位置で押しても、前記跳ね上げ部材５を開閉するか、または前記馬蹄形押圧座本体６０１を均等に昇降させるように制御することができる。
【００３５】
前記押しボタン操作機構は、ボタン７と、押下部材８と、ねじりばね９と、第１蓋部材１０と、第２蓋部材１１とを備える。前記ボタン７は、前記蓋構造本体１に設けられ、前記ボタン７と前記押下部材８とが係合するように接続され、前記第１蓋部材１０と第２蓋部材１１とは、それぞれ、前記ストローチューブ飲み口２の両側に設けられ、前記押下部材８は、前記ねじりばね９を介して前記第１蓋部材１０及び第２蓋部材１１に取り付けられている。前記ストローチューブ飲み口２のストローチューブの中央部よりも上側にパッキング部材２０１が設置される。
【００３６】
使用者が前記ストローチューブ飲み口２を使用する際、片手で前記ボタン７を押すと、前記押下部材８は、前記ねじりばね９の弾性作用により、前記ストローチューブ飲み口２が跳ね上げるように押し付ける。
【００３７】
使用者が片手で前記押下部材８を押し下げて前記ボタン７を係合させると、前記ストローチューブ飲み口２を閉じることができる。
【００３８】
前記蓋構造本体１をボトル本体１２に装着し、前記蓋構造本体１の下端に蓋構造シリコーン１０１が設けられ、前記馬蹄形押圧座本体６０１には、押圧シート６０１１と、変色シリコーン６０１２と、前記変色シリコーン６０１２に接続される金属製熱伝導部材６０１３とが設けられている。前記変色シリコーン６０１２は、前記押圧シート６０１１と前記馬蹄形押圧座本体６０１との間に設置され、前記金属製熱伝導部材６０１３は、前記ボトル本体１２内に延伸して、前記ボトル本体１２内の温度を前記変色シリコーン６０１２に伝導する。前記金属製熱伝導部材６０１３には、密封リング６０１４と密封栓６０１５とが設けられる。
【００３９】
具体的な実施形態では、前記蓋構造本体１の下端部に雄ねじを設け、前記ボトル本体１２内に雌ねじを設け、前記蓋構造本体１と前記ボトル本体１２とを螺合方式で連結することができる。
【００４０】
前記金属製熱伝導部材６０１３は、ボトル本体１２内の温度を効果的に上部に伝達し、前記金属製熱伝導部材６０１３に接続される変色シリコーン６０１２を変色させるので、使用者は、ボトル本体１２内の飲料の温度を視覚的に把握し、適切な方式で飲用することができる。これにより、不適切な方法でボトル本体１２内の飲料を飲用すること（例えば、ストローチューブ飲み口２により飲料を飲用すること）を回避し、熱傷を防止することができる。
【００４１】
前記金属製熱伝導部材の接続口から飲料が漏れ出るのを防止するために、本実施形態では、密封のために、前記熱伝導部材において密封リング６０１４と密封栓６０１５とを設けている。
【００４２】
本実施形態では、前記ストローチューブ飲み口２の下端部にストロー２０２が取り付けられ、前記ストロー２０２は、前記ボトル本体１２の底部まで延在している。前記蓋構造本体１には、吸飲み空気穴１０３と直飲み空気穴１０２とが設けられ、前記蓋構造本体１の底部に、前記吸飲み空気穴１０３と協働して封止するための水密封シリコーン１０５が設けられ、前記馬蹄形押圧座６には、前記直飲み空気穴１０２に対向する直飲み空気穴シリコーン１０４が設けられる。
【００４３】
本実施形態では、前記蓋構造本体１に、吸飲み空気穴１０３と直飲み空気穴１０２とが設けられている。これにより、使用者がストローチューブ飲み口２または直飲み口３を介して飲む時、前記ボトル本体１２内外の負圧が生じることがなく、使用者が前記ストローチューブ飲み口２または直飲み口３を介して前記ボトル本体１２内に飲料を飲用することは容易である。
【００４４】
前述したように、本考案の２つの飲み方に対応する蓋構造は、上述した技術的な解決手段のように、蓋構造本体１を備え、前記蓋構造本体１には、ストローチューブ飲み口２と、前記ストローチューブ飲み口２を開閉するための押しボタン操作機構とが設けられ、前記蓋構造本体１には、直飲み口３が設けられ、前記蓋構造本体１には、前記直飲み口３を開閉するため弾性開閉機構が設けられている。これによって、蓋構造の使用方法を多様にし、使用者が温度野異なる飲料を飲用するという多様なニーズに対応することができる。
【００４５】
また、前述した目的を実現するために、本考案は、ボトルを提供しており、前記ボトルは、前述した実施形態における２つの飲み方に対応する蓋構造を備えており、前記２つの飲み方に対応する蓋構造の構造及び機能は、前述した各実施形態において詳細に説明されているので、ここでは詳細を省略する。
【００４６】
なお、以上は本考案の好ましい実施形態であり、本考案の登録請求の範囲を限定するものではない。また、本実用新案及び添付図面の内容を用いてなされた同等の構造又は同等の設計変更、又は他の関連技術分野に直接又は間接的に適用されたものも、本実用新案の登録請求の範囲に含まれる。
【図１】
0003227889.tif 000003
【図２】
0003227889.tif 000004
【図３】
0003227889.tif 000005
【図４】
0003227889.tif 000006
【図５】
0003227889.tif 000007
【図６】
0003227889.tif 000008
【図７】
0003227889.tif 000009
【図８】
0003227889.tif 000010
【図９】
0003227889.tif 000011
【図１０】
0003227889.tif 000012
【図１１】
0003227889.tif 000013
【図１２】
0003227889.tif 000014
【図１３】
0003227889.tif 000015
【図１４】
0003227889.tif 000016
【図１５】
0003227889.tif 000017